(57)【要約】【目的】  当初の刺激的使用感が得られる球状態から、擦接によって次第に加温使用感が得られる液状体に可変する射精促進器具用球状固形潤滑ローション及びその液状化システムを提供する。【構成】コアシェル型の射精促進器具用球状固形潤滑ローションであって、湿潤剤をコアとし、膜形成剤をシェルとすると共に、上記コアは、液状体であり、上記シェルは、球状固体から構成される射精促進器具用球状固形潤滑ローションである。【選択図】  なし【特許請求の範囲】
【請求項１】
コアシェル型の射精促進器具用球状固形潤滑ローションであって、
湿潤剤をコアとし、膜形成剤をシェルとすると共に、
上記コアは、液状体であり、
上記シェルは、球状固体であることを特徴とする射精促進器具用球状固形潤滑ローション。
【請求項２】
湿潤剤が、グリセリン又は糖アルコールであることを特徴とする請求項１に記載の射精促進器具用球状固形潤滑ローション。
【請求項３】
膜形成剤が、多糖類又は多糖類誘導体であることを特徴とする請求項１又は２に記載の射精促進器具用球状固形潤滑ローション。
【請求項４】
シェルが、皮膜性、接着性向上のため、セラック又はツェインを含有することを特徴とする請求項１〜３のいずれかに記載の射精促進器具用球状固形潤滑ローション。
【請求項５】
直径が、０．５〜１５ｍｍであることを特徴とする請求項１〜４のいずれかに記載の射精促進器具用球状固形潤滑ローション。
【請求項６】
請求項１〜５のいずれかに記載の射精促進器具用球状固形潤滑ローションを、
軸方向に長く且つ柔軟で弾力性を有する素材からなると共に長手方向の一端から男性器による擦接が行われる男性器挿入部を有する筒状内装体と、該筒状内装体が嵌挿されて該筒状内装体の形状を被覆保持するケース体となる外装体と、を有して構成される射精促進器具における、
前記男性器挿入部に収容し、男性器による擦接によって前記シェルを液状化し、前記液状コアを溢れ出させることを特徴とする射精促進器具用球状固形潤滑ローションの液状化システム。
【請求項７】
液体状潤滑ローションを併用することを特徴とする請求項６に記載の射精促進器具用球状固形潤滑ローションの液状化システム
【発明の詳細な説明】
【技術分野】
【０００１】
本発明は、射精促進装置に用いられる球状固形潤滑ローション及びその液状化システムに関する。
【背景技術】
【０００２】
射精促進器具用の潤滑ローションは、ポリアクリル酸ナトリウム等の粘性潤滑剤成分にメチルパラベン等の保存剤を加えた粘性液体ローションが一般的である。
一方、コーティング剤により被覆し、水と同時に使用することにより、液状化する発泡成形体化粧品（特許文献１）、塗擦により液状化する粉末化粧品（特許文献２）、及び水に溶解して使用する顕粒状化粧品（特許文献３）が知られている。
これら特許文献１〜３に記載の化粧品は、前記粘性液体ローションに比べ、携帯性・趣向性に優れるものの、射精促進器具用としては使用感の点で不適であった。
【先行技術文献】
【特許文献】
【０００３】
【特許文献１】特開２００６−２４９０２７号公報
【特許文献２】特許第３６６６８４４号公報
【特許文献３】実用新案登録第３１３４７２７号公報
【発明の概要】
【発明が解決しようとする課題】
【０００４】
そこで本発明の課題は、当初の刺激的使用感が得られる球状態から、擦接によって次第に加温使用感が得られる液状体に可変する射精促進器具用球状固形潤滑ローション及びその液状化システムを提供することにある。
【課題を解決するための手段】
【０００５】
上記課題を解決する本発明は下記構成を有する。
【０００６】
１．コアシェル型の射精促進器具用球状固形潤滑ローションであって、
湿潤剤をコアとし、膜形成剤をシェルとすると共に、
上記コアは、液状体であり、
上記シェルは、球状固体であることを特徴とする射精促進器具用球状固形潤滑ローション。
【０００７】
２．湿潤剤が、グリセリン又は糖アルコールであることを特徴とする前記１に記載の射精促進器具用球状固形潤滑ローション。
【０００８】
３．膜形成剤が、多糖類又は多糖類誘導体であることを特徴とする前記１又は２に記載の射精促進器具用球状固形潤滑ローション。
【０００９】
４．シェルが、皮膜性、接着性向上のため、セラック又はツェインを含有することを特徴とする前記１〜３のいずれかに記載の射精促進器具用球状固形潤滑ローション。
【００１０】
５．直径が、０．５〜１５ｍｍであることを特徴とする前記１〜４のいずれかに記載の射精促進器具用球状固形潤滑ローション。
【００１１】
６．前記１〜５のいずれかに記載の射精促進器具用球状固形潤滑ローションを、
軸方向に長く且つ柔軟で弾力性を有する素材からなると共に長手方向の一端から男性器
による擦接が行われる男性器挿入部を有する筒状内装体と、該筒状内装体が嵌挿されて該筒状内装体の形状を被覆保持するケース体となる外装体と、を有して構成される射精促進器具における、
前記男性器挿入部に収容し、男性器による擦接によって前記シェルを液状化し、前記液状コアを溢れ出させることを特徴とする射精促進器具用球状固形潤滑ローションの液状化システム。
【００１２】
７．液体状潤滑ローションを併用することを特徴とする前記６に記載の射精促進器具用球状固形潤滑ローションの液状化システム。
【発明の効果】
【００１３】
請求項１に示す発明によれば、携帯性・趣向性に優れるのみならず、当初の刺激的使用感が得られる球状態から、擦接によって次第に加温使用感が得られる液状体に可変するので、その使用感の点でも満足が得られる。
【００１４】
請求項２に示す発明によれば、シェルが溶解後に得られる加温使用感が自然に近く得られる。
【００１５】
請求項３に示す発明によれば、当初のゴリゴリした使用感を数分間に亘って得られる。
【００１６】
請求項４に示す発明によれば、当初のゴリゴリした使用感をより長きに亘って得られる。
【００１７】
請求項５に示す発明によれば、当初のゴリゴリした使用感が最適化される。
【００１８】
請求項６に示す発明によれば、射精促進器具の使用に際し、男性器挿入部に収容するだけで、男性器による擦接によって本発明に係る球状固形潤滑ローションの液状化が可能である。
【００１９】
請求項７に示す発明によれば、公知公用の液体状ローションの併用によって、使用感が異なる液状化が可能である。
【図面の簡単な説明】
【００２０】
【図１】本発明に係る球状固形潤滑ローションが用いられる射精促進器具の一例を示す正面図
【図２】図１に示す射精促進器具の断面図
【図３】図１に示す射精促進器具の概略分解図
【図４】締付リングによる締付けを最強度に設定した態様を示す正面図
【図５】締付リングによる締付けを中度に設定した態様を示す正面図
【図６】本発明に係る球状固形潤滑ローションが用いられる射精促進器具に付加するキャップ体の一例を示す正面図
【図７】図６に示すキャップ体の使用例を示す断面図
【発明を実施するための形態】
【００２１】
本発明におけるコアを形成する液状体としての湿潤剤は、グリセリン又は糖アルコール（例えば、ソルビトール、マルチトール、キリシトール、トレハロース。）が好ましく、グリセリンに糖アルコールを併用することも好ましい。
【００２２】
本発明におけるシェルを形成する球状固定の膜形成剤は、使用に際し摩擦されると液化してクリーム状ないしジェル状になるものが好ましい。
【００２３】
膜形成剤としての多糖類又は多糖類誘導体としては、例えば、セルロースエーテル（例えば、メチルセルロース、ヒドキシプロピルセルロース。）、アルギン酸塩、カラギーナン、プルラン等があり、中でも、アルギン酸塩、カラギーナン、プルラン等のように親水性の性質を有するものが含まれていることが好ましい。上記セルロースエーテルは、セルロースの水酸基の一部（例えば、２／３。）がメトキシ基又はヒドロキシプロポキシ基で置換されており、この置換度の程度によって、親水性及び親油性の性質を持たせることができ、粘稠な溶剤であるので、通常、水に溶解させて適当な粘度に調整して用いることができる。
【００２４】
本発明のシェルは、皮膜性、接着性向上のため、セラック又はツェインを含有してもよい。セラックは、カイガラムシ科ラックカイガラムシの分泌する樹脂状物質であり、一方、ツェインは、トウモロコシ蛋白の一種であり、少なくともいずれか一方を公知の範囲で用いていることが好ましい。
【００２５】
本発明に係るコアシェル構造の球状潤滑ローションは、公知の方法によって作成できる。
本発明に係る球状潤滑ローションの製造法の１つは、界面張力（表面張力）を利用した下記装置によることである。
【００２６】
２種のノズルから、タンクに貯溜すると共に、液状にした（水溶液とすることが好ましい。）膜形成剤を外側に、別のタンクに貯溜した液状の湿潤剤を内側に流し出し、ノズルに振動を与えて一定の間隔で振るえさせると、液は一粒分の量に切断され、クーラント液中に滴下され、このように切断されると、界面張力によって外側の液状にした膜形成剤が内側の液状湿潤剤を包み込んで球状のコアシェル構造体になる。この球状のコアシェル構造体が冷却されたクーラント液で冷却（又は化学反応させてたりする。）され、外側の膜形成剤を固形化する。なお、ノズルを多重化することによって２以上のシェルを作成することも可能である。
【００２７】
本発明に係る球状潤滑ローションは、直径が０．５〜１５ｍｍ程度が好ましく、更に２〜８ｍｍ、特に１〜５ｍｍが望ましい。コアとシェルとの比率は、シェルを１質量部としたとき、コアが３〜１０質量部が好ましく、特に４〜８質量部が望ましい。
【００２８】
本発明に係る球状固形潤滑ローションは、公知公用の射精促進器具において、公知の液体状潤滑ローションと共に、又は単独で用いることができる。公知の液体状潤滑ローションとしては、この種の射精促進器具に用いることができるものの他、化粧用など、いずれであってもよい。
【００２９】
また、公知公用の射精促進器具は、通常、軸方向に長く且つ柔軟で弾力性を有する素材からなると共に長手方向の一端から男性器が挿入される男性器挿入部を有する筒状内装体と、該筒状内装体が嵌挿されて該筒状内装体の形状を被覆保持するケース体となる外装体とを有して構成される。
【００３０】
［実施例］
以下、実施例を挙げる。
シェルを形成するメチルセルロース４質量％、アルギン酸ナトリウム０．６質量％、純粋９５．４質量％からなる水溶液を調整し、一方、コアを形成するグリセリン１００質量％からなる液体を調整し、前記界面張力を利用した装置によって、直径３ｍｍの本発明に係る球状固形潤滑ローションを作成する。この球状固形潤滑ローションは、コアが液状体であると共に、シェルが球状固形体であるコアシェル構造体である。
【００３１】
このコアシェル構造体を下記構成の射精促進器具を用いて、擦接効果を確認したところ、当初は、ゴリゴリとした感触であったが、数分の中に擦接されたシェルが液状化し、液状コアが溢れ出して粘着感触に変化することが判明した。
なお、本実施例において、コアは、グリセリン９０質量％、ソルビトール１０質量％とした場合も、同様の効果が得られる。
【００３２】
射精促進器具の具体的構成例としては、図１〜７に示すように、
軸方向に長く且つ柔軟で弾力性を有する素材からなると共に長手方向の一端から男性器が挿入される男性器挿入部２１を有する筒状内装体２と、
該筒状内装体２が嵌挿されて該筒状内装体２の形状を被覆保持するケース体となる外装体３と、
を有して構成される射精促進器具１において、
前記外装体３が、可撓性材料で形成されると共に、長手方向の一端側から他端側に延伸するスリット状透孔３１が複数本形成された構成であり、
更に、該外装体３の外周面には、長手方向に位置移動可能な締付リング体４が着脱可能に装着される構成であり、
前記締付リング体４の装着位置に応じて前記外装体３の直径が可変され、この外装体３の直径の可変によって該外装体３に嵌挿された前記筒状内装体２に対する嵌挿圧力が可変し、この嵌挿圧力の可変によって前記男性器挿入部２１に挿入される男性器に対する締付圧力を調節することが可能な構成となっている。
【００３３】
次に、各構成部材について更に詳説する。
【００３４】
先ず、筒状内装体２は、男性逸話挿入部２１に男性器を挿入することによって射精効果が得られる射精促進器具１の最主要な本体構成となる部分であり、具体的な構成例としてはこの種の射精促進器具に用いられる公知公用の構成（形状、材質、製造方法等）が採られており、例えば、本実施例では、リアルな人肌を模した色彩・質感を具備した発泡合成樹脂製であって、柔軟度の異なる外層部２２と内層部２３とから成る二層構成を採っている。
【００３５】
筒状内装体２の外層部２２は、例えば、エラストマー樹脂（クレイトン社製Ｇ１６５１）を１に対してオイル（モレスコ社製Ｐ−７０）を８の割合で混合したものを発泡成形して形成する。
【００３６】
また内層部２３は、例えば、エラストマー樹脂（クレイトン社製Ｇ１６５１）を１に対してオイル（モレスコ社製Ｐ−７０）を７の割合で混合したものを発泡成形して形成する。即ち、内層部２２を外層部２３よりも僅かに硬く形成することによって男性器の挿入感を向上させている。
【００３７】
更に内層部２３に形成される男性器挿入部２１は、図２に示すように長手方向に直線状ではなく僅かに蛇行させると共に内壁部２１Ａに起伏状凹凸を設けたり、或いは挿入口部２１Ｂや該挿入口部２１Ｂから内壁部２１Ａにかけての形状等の各部について、より自然なリアルな質感が得られるように構成されることが好ましい。
【００３８】
尚、筒状内装体２については、一度の使用で廃棄される使い切り仕様のものであってもよいし、複数回乃至は多数回の繰り返し使用可能な仕様のものであってもよい。尚また、男性器挿入部２１の形状や硬度、或いは内壁部２１Ａに形成される起伏状凹凸の形状等の各構成についても本実施例に限定されず、他の構成を採ることもできるし、種々の形状や質感を有する筒状内装体２や、種々様々な刺激が得られる起伏状凹凸の異なる弾性器挿入部２１を有するものを複数用意し、選択購入したり或いはセット購入して交換可能とする
構成を採ることもできる。
【００３９】
次に、外装体３は、上記した柔軟素材からなる筒状内装体２を嵌挿した際にその形状を保持するためのケース体であり、男性器挿入部２１の挿入口部２１Ｂが外部に露出する以外は筒状内装体２の大部分を収納状態で格納する構成を有する。
【００４０】
筒状内装体２を嵌挿する際には、本実施例の外装体３は上端部分に設けられた係止部３３の係止を解除することによって下端に設けられた蝶番部３４を支点として縦方向に２分割され、２分割した外装体３の内部に筒状内装体２を嵌挿状態に収納した後、２分割した外装体３を元の状態に組み合わせ、再び係止部３３を係止する。
【００４１】
また、外装体３の材質としては、この種の射精促進器具のケース体として用いられる公知公用の素材である合成樹脂製であって且つ可撓性を有する素材で形成される。具体的な合成樹脂としては、例えば、ポリエチレン樹脂、ポリプロピレン樹脂、ポリ塩化ビニル樹脂、ナイロン樹脂、ウレタン樹脂、アクリル樹脂、ＡＢＳ樹脂、ポリカーボネート樹脂、スチロール樹脂、ポリスチレン樹脂、ＦＲＰ樹脂等、又はその他の素材等であって且つ可撓性を有するものから選択される。
【００４２】
また、外装体３は、前記したように長手方向の一端側から他端側に延伸するスリット状透孔３１が複数本形成された構成であり、このスリット状透孔３１のスリットとなる間隙の存在によって締付リング体４による締付けの際に各間隙の間隔が狭くなって該外装体３の直径が絞られるように可変することになる。
【００４３】
この締付リング体４による締付けは可撓性材料製の外装体３を介して締め付ける構成なので、柔軟素材製の筒状内装体２の外周面に装着されて直接締め付けた場合の局所的な締付けによる局所的な直径の絞りとは異なり、外装体３の撓みによって筒状内装体２の長手方向広範囲に亘って絞られて圧迫を受けることになる。従って、該筒状内装体２の男性器挿入部２１に挿入する男性器はその略全域に亘って絞られるように締め付けられることになるので、その刺激は人工的な作り物のような刺激ではなく、よりリアルな自然な刺激となるので射精促進効果が極めて高いという効果を有する。
【００４４】
更に外装体３は、締付リング体４が装着される位置であって且つ位置移動を行う範囲の部分における直径が長手方向の一方から他方に向かって大となる構成であることが好ましい。本実施例では、下方から上方に向かって、即ち、男性器挿入部２１の挿入口部２１Ｂ側に向かって外装体３の直径が大となる構成を採っている。かかる構成により、締付リング体４を挿入口部２１Ｂ方向に位置移動させることにより、外装体３の直径が絞られ、筒状内装体２に対する締付圧迫が強まることになる。
【００４５】
更にまた外装体３の外周面には、長手方向に任意の間隔で並ぶ複数の突起からなる位置設定突起部３２が設けられていることが好ましい。締付リング体４を長手方向に位置移動させる際、位置設定突起部３２を越えて位置移動させることにより該締付リング体４を長手方向に隣接する二つの位置設定突起部３２・３２間に留まることにより装着位置を任意の位置に設定することが可能となる。締付リング体４を他の装着位置に位置移動させる際には、位置設定突起部３２を越えての移動となるため該位置設定突起部３２がストッパーとして作用することになる。
【００４６】
尚、本実施例では、締付リング体４の長手方向における装着位置は５箇所を設定することが可能な構成となっており、図１は、締付リング体４を最も下端位置に装着した状態であり、この位置は締付リング体４による締付けが最も弱く設定されている（５段階の１）。図４は、締付リング体４を最も上端位置に装着した状態であり、この位置は締付リング
体４による締付けが最強度に設定されている（５段階の５）。図５は、締付リング体４を中間位置に装着した状態であり、この位置は締付リング体４による締付けが中度に設定されている（５段階の３）。
【００４７】
前記締付リング体４は、前記したように外装体３の外周面に装着されることにより該外装体３を締め付けるものであり、本実施例では、薄肉部を介して一端部同士が接続された二つの半円弧状バンド部材の他端同士を該他端に設けた係止部４１の係止により接続して円環状を成す構成を有している。
【００４８】
以上の構成を有する射精促進器具１は、筒状内装体２の男性器挿入部２１が設けられた一端側を非使用時に被覆して保護するために、図６に示すようなキャップ体５が付加される構成であることが好ましい。
【００４９】
キャップ体５は、図７に示すように、筒状内装体２の男性器挿入部２１が設けられた一端側である前記外装体３の一端部分に着脱可能に装着される構成であることが好ましい。本実施例では、キャップ体５にロート状部５１が設けられた構成としており、該キャップ体５を外装体３に装着した際に、ロート状部５１のロート先部５１Ａが前記男性器挿入部２１に進入するように構成される。このロート状先部５１Ａの男性器挿入部２１内への進入により、前記男性器挿入部２１の内部にローションを流入ないし投入させることが極めて容易に且つこぼれることなく確実に可能となる。
【００５０】
本発明に係る球状固形潤滑ローションを適用できる射精促進器具は、上記に限らず、特開平８−３０８９０１、特開２００４−２７５６６１、特開２０１１−２３５０４４、実用新案登録第３１８４９０１号など、公知公用のものが含まれる。
【符号の説明】
【００５１】
１  射精促進器具
２  筒状内装体
２１  男性器挿入部
２１Ａ  内壁部
２１Ｂ  挿入口部
２２  外層部
２３  内層部
３  外装体
３１  スリット状透孔
３２  位置設定突起部
３３  係止部
３４  蝶番部
４  締付リング体
４１  係止部
５  キャップ体
５１  ロート状部
５１Ａ  ロート先部
【図１】
2015112318.tif 000002
【図２】
2015112318.tif 000003
【図３】
2015112318.tif 000004
【図４】
2015112318.tif 000005
【図５】
2015112318.tif 000006
【図６】
2015112318.tif 000007
【図７】
2015112318.tif 000008